(57)【特許請求の範囲】
【請求項１】
表示素子が配設された映像表示モジュールと、  前記映像表示モジュールが固定されるべきフレームと、  前記映像表示モジュールが前記フレームに仮固定されている状態で、前記映像表示モジュールの表示画面の垂直方向における前記映像表示モジュールの位置を調整する調整部と、  前記フレームに仮固定されている前記映像表示モジュールを前記フレームに固定する固定部とを備え、  前記調整部は、調整時に回転される調整ねじを含み、  前記固定部は、固定時に回転される固定ねじを含み、  前記調整ねじの回転軸と、前記固定ねじの回転軸とは同軸に配設されている、映像表示装置。
【請求項２】
請求項１に記載の映像表示装置であって、  前記固定ねじの一端には、螺合用の溝が配設され、  前記固定ねじの他端には、前記固定ねじの回転方向に配設された磁極が異なる複数の第１磁石が配設され、  前記固定部は、  前記映像表示モジュールに固定された、磁性体からなる保持部をさらに含み、  前記保持部は、  前記固定ねじの前記複数の第１磁石を前記映像表示モジュールに対向させ、かつ、前記固定ねじの前記溝を露出した状態で、前記固定ねじを回転可能に保持する、映像表示装置。
【請求項３】
請求項２に記載の映像表示装置であって、  前記調整ねじは、  前記保持部と前記調整ねじとを仮固定する第２磁石と、  前記保持部と前記調整ねじとが仮固定され、かつ、前記調整ねじが前記映像表示モジュールの表示画面の垂直方向にて移動自在な状態で、前記フレームと螺合される第１ねじ部と、  前記固定ねじが前記保持部と前記調整ねじとを固定するように、前記固定ねじと螺合される第２ねじ部とを含み、  前記調整ねじは、前記第２ねじ部と螺合された前記固定ねじの前記溝を露出する中空形状を有する、映像表示装置。
【請求項４】
請求項１に記載の映像表示装置であって、  前記固定ねじの一端には、螺合用の溝が配設され、  前記固定部は、  前記映像表示モジュールに固定された、磁性体からなる保持部をさらに含み、  前記保持部は、  前記固定ねじの前記溝を露出した状態で、前記固定ねじを回転可能に保持し、  前記調整ねじは、  前記保持部と前記調整ねじとを仮固定する磁石と、  前記保持部と前記調整ねじとが仮固定され、かつ、前記調整ねじが前記映像表示モジュールの表示画面の垂直方向にて移動自在な状態で、前記フレームと螺合される第１ねじ部と、  前記固定ねじが前記保持部と前記調整ねじとを固定するように、前記固定ねじと螺合される第２ねじ部とを含み、  前記調整ねじは、前記第２ねじ部と螺合された前記固定ねじの前記溝を露出する中空形状を有する、映像表示装置。
【請求項５】
請求項１に記載の映像表示装置であって、  前記固定部は、  前記映像表示モジュールに固定された、磁性体からなる保持部をさらに含み、  前記調整ねじは、  前記保持部と前記調整ねじとを仮固定する磁石と、  前記保持部と前記調整ねじとが仮固定され、かつ、前記調整ねじが前記映像表示モジュールの表示画面の垂直方向にて移動自在な状態で、前記フレームと螺合される第１ねじ部とを含み、  前記保持部は、  前記固定ねじが前記保持部と前記調整ねじとを固定するように、前記固定ねじと螺合される第２ねじ部を含み、  前記調整ねじは、前記保持部の前記第２ねじ部を露出する中空形状を有する、映像表示装置。
【請求項６】
請求項１から請求項５のうちのいずれか１項に記載の映像表示装置であって、  前記調整部は、  前記調整ねじを前記フレームに固定する固定ナットをさらに含む、映像表示装置。
【請求項７】
請求項１から請求項６のうちのいずれか１項に記載の映像表示装置を複数組み合わせたマルチディスプレイシステム。
【発明の詳細な説明】
【技術分野】
【０００１】  本発明は、映像表示装置、及び、それを備えるマルチディスプレイシステムに関する。
【背景技術】
【０００２】  ＬＥＤ（Light Emitting Diode）などの表示素子を複数配設した複数の映像表示装置を備え、複数の映像表示装置の画面を組み合わせた大画面に画像を表示するマルチディスプレイシステムが提案されている。このマルチディスプレイシステムは、表示素子の性能向上及び低コスト化により、屋外だけでなく屋内においても広告表示等に多く使用されており、これまで自然画及びアニメーションの動画像の表示等に用いられることが主流であった。【０００３】  しかし、表示素子の小型化により画素ピッチの狭ピッチ化が進み、短い視認距離でも適切な表示品質が得られるようになった。この結果、マルチディスプレイシステムは、屋内の広告表示等に使用されるのみならず、会議室及び監視用途などのパソコンの画像表示用にも使用されようになった。特に、監視用途のマルチディスプレイシステムでは、静止画に近いパソコン画像が表示されることもある。【０００４】  マルチディスプレイシステムでは、小さなＬＥＤ表示モジュールを基板に実装したＳＭＤ（Surface Mount Device：表面実装部品）型が主流であり、これまで画素ピッチが３ｍｍ以上である大型マルチディスプレイシステムが構成されていた。そして、ＬＥＤ表示モジュールは、セラミックまたは樹脂などで成型された成型品のキャビティの内部にＬＥＤ表示素子を実装し、これを封止樹脂で固めることで形成されていた。【０００５】  しかし、近年では、高密度実装品を使用したＬＥＤ表示素子の低コスト化及び高精細化を背景に、画素ピッチが１〜２ｍｍ等であるＬＥＤ表示素子が配設された映像表示装置を、タイル状に複数並べて構成された大型マルチディスプレイシステムが市場に導入されている。なお、例えば特許文献１または特許文献２には、マルチディスプレイシステムの映像表示装置の構成とその保持方法が開示されている。
【先行技術文献】
【特許文献】
【０００６】
【特許文献１】特開２００７−２４８４９８号公報
【特許文献２】特開２０１７−６２４５４号公報
【発明の概要】
【発明が解決しようとする課題】
【０００７】  表示画面を有する映像表示装置を複数並べて構成されるマルチディスプレイシステムでは、複数の映像表示装置における表示画面の前後方向の段差が表示画面において目立つことがある。このように、複数の映像表示装置における表示画面表面の平面均一性が映像品質に大きく影響するため、マルチディスプレイシステムにおいては映像表示部の保持及び固定が肝要となる。しかしながら、特許文献１及び特許文献２では、映像表示装置の表示画面の段差を解消することは考慮されていない。【０００８】  そこで、本発明は、上記のような問題点を鑑みてなされたものであり、映像表示装置の表示画面の段差を抑制することが可能な技術を提供することを目的とする。
【課題を解決するための手段】
【０００９】  本発明に係る映像表示装置は、表示素子が配設された映像表示モジュールと、前記映像表示モジュールが固定されるべきフレームと、前記映像表示モジュールが前記フレームに仮固定されている状態で、前記映像表示モジュールの表示画面の垂直方向における前記映像表示モジュールの位置を調整する調整部と、前記フレームに仮固定されている前記映像表示モジュールを前記フレームに固定する固定部とを備え、前記調整部は、調整時に回転される調整ねじを含み、前記固定部は、固定時に回転される固定ねじを含み、前記調整ねじの回転軸と、前記固定ねじの回転軸とは同軸に配設されている。
【発明の効果】
【００１０】  本発明によれば、調整部及び固定部を備えるので、映像表示装置の表示画面の段差を抑制することができる。【００１１】  本発明の目的、特徴、態様及び利点は、以下の詳細な説明と添付図面とによって、より明白となる。
【図面の簡単な説明】
【００１２】
【図１】実施の形態１に係るマルチディスプレイシステムの概略構成を示す斜視図である。
【図２】実施の形態１に係る映像表示装置の概略構成を示す斜視図である。
【図３】実施の形態１に係る映像表示装置の背面側の構成を示す斜視図である。
【図４】実施の形態１に係る固定ねじの構成を示す斜視図である。
【図５】実施の形態１に係る調整部及び固定部の構造を示す断面図である。
【図６】実施の形態１に係る固定ねじによる固定を説明するための断面図である。
【図７】実施の形態２に係る映像表示装置の背面側の構成を示す斜視図である。
【図８】実施の形態２に係る調整部及び固定部の構造を示す断面図である。
【図９】実施の形態２に係る固定ねじによる固定を説明するための断面図である。
【発明を実施するための形態】
【００１３】  ＜実施の形態１＞  図１は、本発明の実施の形態１におけるマルチディスプレイシステム２００の概略構成を示す斜視図である。図１に示すように、マルチディスプレイシステム２００は、マトリックス状に配設された複数の画像表示用の映像表示装置１０１〜１０６を備える。以下の説明において、映像表示装置１０１〜１０６を区別しないときは、映像表示装置１００と記載する。マルチディスプレイシステム２００は、図示しない固定部品によって固定された複数の映像表示装置１００を組み合わせて構成されており、複数の映像表示装置１００の表示画面を組み合わせた大画面に画像を表示することが可能となっている。
【００１４】  図２は、映像表示装置１００の概略構成を示す斜視図である。図２に示すように、映像表示装置１００は、それぞれが映像表示モジュールである複数のＬＥＤモジュール１００１〜１００４と、筐体フレーム５とを備える。筐体フレーム５は、複数のＬＥＤモジュール１００１〜１００４を保持するフレームである。以下の説明において、ＬＥＤモジュール１００１〜１００４を区別しないときは、ＬＥＤモジュール１０００と記載する。
【００１５】  図３は、１枚のＬＥＤモジュール１０００を外した状態における映像表示装置１００の背面側の構成を示す斜視図である。映像表示装置１００は、ＬＥＤモジュール１０００と、固定ねじ３１，３２（区別しないときは固定ねじ３０と記載）と、保持部である保持部品３６，３７（区別しないときは保持部品３５と記載）と、調整ねじ６１と、固定ナット６２と、その他ねじ等の部品とを備える。ＬＥＤモジュール１０００は、表示素子であるＬＥＤ素子が実装によって配設されたＬＥＤ基板１と、それを保持するモールドベース２と、その他ねじ等の部品とを備える。
【００１６】  調整ねじ６１及び固定ナット６２は、調整部の概念に含まれる。以下の説明で明らかになるように、調整部は、ＬＥＤモジュール１０００が筐体フレーム５に仮固定されている状態で、ＬＥＤモジュール１０００の表示画面の垂直方向におけるＬＥＤモジュール１０００の位置を調整する。この調整によって、映像表示装置１００に配設されるＬＥＤモジュール１００１〜１００４の前面同士の高さが均一にされ、それらの段差を低減することが可能となっている。なお、その調整時には調整ねじ６１が回転される。
【００１７】  固定ねじ３０及び保持部品３５は、固定部の概念に含まれる。以下の説明で明らかになるように、固定部は、筐体フレーム５に仮固定されているＬＥＤモジュール１０００を筐体フレーム５に固定する。なお、その固定時には固定ねじ３０が回転される。そして、調整ねじ６１の回転軸と、固定ねじ３０の回転軸とは同軸に配設される。
【００１８】  図４は、固定ねじ３０の構成を示す斜視図である。固定ねじ３０は棒部を有し、当該棒部の側面には、ＬＥＤモジュールを筐体フレーム側に固定するための雄ねじ３０１が配設されている。固定ねじ３０の棒部の一端には、ドライバ等の工具により固定ねじ３０を螺合するための溝３０２が配設されている。固定ねじ３０の棒部の他端には、フランジ部３０３が配設されている。このフランジ部３０３は、固定ねじ３０（雄ねじ３０１）の回転方向に配設された磁極が異なる複数の第１磁石である複数（図４では６つ）の磁石によって構成されている。
【００１９】  図３に示すように、軟磁性体などの磁性体からなる保持部品３５は、ＬＥＤモジュール１０００にねじなどで固定されている。この保持部品３５は、固定ねじ３０の複数の磁石からなるフランジ部３０３をＬＥＤモジュール１０００に対向させ、かつ、固定ねじ３０の雄ねじ３０１及び溝３０２を露出した状態で、固定ねじ３０を回転可能に保持している。なお、この固定ねじ３０は、調整ねじ６１と螺合される。
【００２０】  図５は、本実施の形態１に係る調整部及び固定部の構造を示す断面図である。調整ねじ６１は、中空形状である円筒形状を有しており、調整ねじ６１は、第２磁石である磁石６１１と、第１ねじ部である雄ねじ６１２と、第２ねじ部である雌ねじ６１３とを含んでいる。
【００２１】  磁石６１１は、調整ねじ６１の円筒の内側、かつ、調整ねじ６１のＬＥＤモジュール１０００側に設けられている。この磁石６１１は、保持部品３５と磁力によって引き合うことが可能となっており、保持部品３５と調整ねじ６１とを仮固定することが可能となっている。
【００２２】  ここで、磁石６１１の磁力である吸着力は、１枚のＬＥＤモジュール１０００に使用する調整ねじ６１の本数でＬＥＤモジュール１０００を筐体フレーム５の取り付け位置にとどめることのできる強さ以上にしている。これにより、調整ねじ６１の磁石６１１は、ＬＥＤモジュール１０００と筐体フレーム５とを仮固定することが可能となっている。
【００２３】  雄ねじ６１２は、調整ねじ６１の円筒の外面に設けられている。保持部品３５と調整ねじ６１とが仮固定され、かつ、調整ねじ６１がＬＥＤモジュール１０００の表示画面の垂直方向にて移動自在な状態で、この雄ねじ６１２は筐体フレーム５と螺合されている。
【００２４】  調整ねじ６１のＬＥＤモジュール１０００と逆側には、ドライバ等の工具により調整ねじ６１を螺合するための溝６１４が設けられている。この溝６１４を用いて調整ねじ６１を回転することにより、調整ねじ６１を、筐体フレーム５に貫通させた状態で筐体フレーム５に対して移動させることができる。つまり、調整ねじ６１は、上述した仮固定を維持したまま、筐体フレーム５の背面よりＬＥＤモジュール１０００側へとねじ込まれることが可能となっている。
【００２５】  固定ナット６２は、調整ねじ６１の筐体フレーム５に対する移動、ひいては、ＬＥＤモジュール１０００の表示画面の垂直方向における移動を妨げるナットであり、調整ねじ６１を筐体フレーム５に固定するナットである。
【００２６】  さて、ＬＥＤモジュール１０００は筐体フレーム５と仮固定されているが、ＬＥＤモジュール１０００を筐体フレーム５から引き剥がす力が、磁石６１１の吸着力より大きいと、ＬＥＤモジュール１０００は筐体フレーム５から離れる。このことは、メインテナンス時などのように意図的に離す場合には便利であるが、例えば地震などの発生時にはＬＥＤモジュール１０００の位置ずれや落下が生じてしまうというデメリットがある。
【００２７】  そこで、固定ねじ３０は、仮固定中の保持部品３５と調整ねじ６１とを締結すること、つまり仮固定中のＬＥＤモジュール１０００と筐体フレーム５とを締結することが可能となっている。具体的には、雌ねじ６１３が、調整ねじ６１の円筒の内面に設けられている。この雌ねじ６１３は、固定ねじ３０が仮固定中の保持部品３５と調整ねじ６１とを固定するように、固定ねじ３０の雄ねじ３０１と螺合される。なお、円筒形状の調整ねじ６１は、雌ねじ６１３と螺合された固定ねじ３０の溝３０２を露出可能となっている。
【００２８】  ＜ＬＥＤモジュールの調整及び着脱手順＞  ＬＥＤモジュール１０００が磁石６１１によって仮固定されている状態で、背面よりドライバ等の工具を調整ねじ６１の溝６１４に嵌めて、調整ねじ６１が回転される。これにより、筐体フレーム５におけるＬＥＤモジュール１０００同士の表示画面の段差が低減されるように、ＬＥＤモジュール１０００の位置が調整される。
【００２９】  調整後、ＬＥＤモジュール１０００側の固定ねじ３０の雄ねじ３０１と、筐体フレーム５側の調整ねじ６１の雌ねじ６１３とをねじ締結することによって、筐体フレーム５に対する調整ねじ６１の位置が、固定ナット６２によって固定される。つまり、ＬＥＤモジュール１０００と筐体フレーム５とが固定される。なお、調整ねじ６１の回転軸と、固定ねじ３０の回転軸とが同軸に配設されている。
【００３０】  図６は、固定ねじ３０による固定をより詳細に説明するための断面図である。
【００３１】  製造時のＬＥＤモジュール１０００の固定は、マルチディスプレイシステム２００背面から、固定ねじ３０の溝３０２にドライバ等の工具５００を嵌めて、固定ねじ３０が回転されることにより行われる。
【００３２】  一方、マルチディスプレイシステム２００設置後のＬＥＤモジュール１０００の脱着は、ＬＥＤモジュール１０００の表示画面側より脱着冶具５１０を用いて固定ねじ３０が回転されることにより行われる。
【００３３】  ここで、脱着冶具５１０は、ＬＥＤモジュール１０００の固定ねじ３０のフランジ部３０３と同様に、磁極が異なる複数の磁石が配設されたフランジ部５１１を有しており、フランジ部５１１は、固定ねじ３０のフランジ部３０３と対向することにより、フランジ部３０３とマグネットカップリングを形成する。これにより、脱着冶具５１０のフランジ部５１１を回転させることで固定ねじ３０も回転させることが可能となるので、ＬＥＤモジュール１０００の脱着が可能となる。
【００３４】  ＜実施の形態１のまとめ＞  ここで、調整ねじの回転軸と、固定ねじの回転軸とが別々の場所に配設される映像表示装置では、調整部でＬＥＤモジュール１０００の位置を調整した後、固定部でＬＥＤモジュール１０００を固定する場合に、調整位置がずれてしまうことがある。
【００３５】  これに対して、本実施の形態１に係る映像表示装置１００では、調整ねじ６１の回転軸と、固定ねじ３０の回転軸とが同軸に配設されている。このような構成によれば、ＬＥＤモジュール１０００の位置を調整した後、ＬＥＤモジュール１０００を固定する場合に、調整位置のずれを抑制することができる。このため、調整ねじ６１の回転軸と固定ねじ３０の回転軸との位置ずれによるＬＥＤモジュール１０００のたわみを抑制することができる。
【００３６】  また、ＬＥＤモジュール１０００のたわみを抑制することによって、ＬＥＤ基板１上に実装している部品の半田部などに加わるストレスを抑制することができるので、ＬＥＤ基板１の長期使用時の信頼性の向上が期待できる。
【００３７】  なお、メインテナンス対応等でＬＥＤモジュール１０００を取り付け直す場合に、ＬＥＤモジュール１０００がたわむことは、隣り合うＬＥＤモジュール１０００の表示画面同士の段差をなくすための取り付け作業を何度も繰り返さなければならなくなる原因となる。しかしながら、本実施の形態１では、ＬＥＤモジュール１０００の固定におけるたわみを抑制することができるので、取り付け作業を繰り返す回数を低減することができ、作業が容易となる。
【００３８】  また、本実施の形態１によれば調整部を有するので、映像表示装置１００の表示画面の段差を抑制することができ、映像品質を高めることができる。加えて、ＬＥＤモジュール１０００を固定ねじ３０で締結固定するので、マルチディスプレイシステム２００の設置後に地震等の振動によって、ＬＥＤモジュール１０００の位置ずれや落下が生じることを防ぐことができる。
【００３９】  また本実施の形態１では、固定ねじ３０の複数の磁石からなるフランジ部３０３をＬＥＤモジュール１０００に対向させた状態で、固定ねじ３０が保持部品によって保持される。このような構成によれば、脱着冶具５１０を用いてＬＥＤモジュール１０００の表示画面側からＬＥＤモジュール１０００の脱着が可能となる。これにより、マルチディスプレイシステム２００の設置後に、マルチディスプレイシステム２００背面に人が入るためのメインテナンススペースを設ける必要がなくなるので、設置スペースを低減することができる。
【００４０】  また、固定ねじ３０の保持部品３５は磁性体で構成されている。このため、固定ねじ３０の磁石が保持部品３５に吸着しようとするので、振動等によるねじの緩みを抑制することができる。さらに、吸着力によって、固定ねじ３０がＬＥＤモジュール１０００に対して略垂直に維持されるため、運用時にＬＥＤモジュール１０００を取り付ける際に固定ねじ３０が重力方向に倒れることを抑制することができ、作業性を高めることができる。
【００４１】  また本実施の形態１では、調整ねじ６１は、保持部品３５と調整ねじ６１とを仮固定する磁石６１１を含むので、ＬＥＤモジュール１０００の位置調整を比較的容易に行うことができる。
【００４２】  なお、本実施の形態１では、図３において２個の固定ねじ３０を使ってＬＥＤモジュール１０００の位置調整及び固定を行っていた。しかしながら、固定ねじ３０の個数は、必ずしも２個である必要はなく、必要に応じて変化させてもよい。
【００４３】  また、本実施の形態１では、映像表示装置１００は４枚のＬＥＤモジュール１０００を備えていた。しかしながら、映像表示装置１００が備えるＬＥＤモジュールの枚数に制約は無く、その枚数は例えば１枚であってもよいし、８枚であってもよい。
【００４４】  ＜実施の形態２＞  図７は、本発明の実施の形態２における映像表示装置１００の背面構成を、図３と同様に示す斜視図である。図８は、本実施の形態２に係る調整部及び固定部の構造を示す断面図であり、図９は、通常の固定ねじ４０による固定を説明するための断面図である。以下、本実施の形態２に係る構成要素のうち、上述の構成要素と同じまたは類似する構成要素については同じ参照符号を付し、異なる構成要素について主に説明する。
【００４５】  本実施の形態２は、磁極を有するフランジ部３０３を有する固定ねじ３０（図４）の代わりに、通常の固定ねじ４０（図９）を用いてＬＥＤモジュール１０００の固定を行う点で実施の形態１と異なる。
【００４６】  本実施の形態２に係る図７の保持部品４６，４７（区別しないときは保持部品４５と記載）は、実施の形態１の保持部品３５（図３）と同様に、軟磁性体などの磁性体からなり、ＬＥＤモジュール１０００にねじなどで固定されている。ただし、保持部品４５は、固定ねじ４０を回転可能に保持するのではなく、固定ねじ４０と着脱可能となっている。
【００４７】  なお、固定ねじ４０及び保持部品４５は、固定部の概念に含まれる。固定部は、筐体フレーム５に仮固定されているＬＥＤモジュール１０００を筐体フレーム５に固定する。なお、その固定時には通常の固定ねじ４０が回転される。そして、調整ねじ６１の回転軸と、固定ねじ４０の回転軸とは同軸に配設される。
【００４８】  図８に示すように、調整ねじ６１は、中空形状である円筒形状を有しており、調整ねじ６１は、磁石である磁石６１１と、第１ねじ部である雄ねじ６１２とを含んでいる。つまり本実施の形態２に係る調整ねじ６１は、雌ねじ６１３（図５）を含んでいない点を除けば、実施の形態１に係る調整ねじ６１と実質的に同じである。
【００４９】  磁石６１１は、調整ねじ６１の円筒の内側、かつ、調整ねじ６１のＬＥＤモジュール１０００側に設けられている。この磁石６１１は、保持部品４５と磁力によって引き合うことが可能となっており、保持部品４５と調整ねじ６１とを仮固定することが可能となっている。
【００５０】  ここで、磁石６１１の磁力である吸着力は、１枚のＬＥＤモジュール１０００に使用する調整ねじ６１の本数でＬＥＤモジュール１０００を筐体フレーム５の取り付け位置にとどめることのできる強さ以上にしている。これにより、調整ねじ６１の磁石６１１は、ＬＥＤモジュール１０００と筐体フレーム５とを仮固定することが可能となっている。
【００５１】  雄ねじ６１２は、調整ねじ６１の円筒の外面に設けられている。保持部品４５と調整ねじ６１とが仮固定され、かつ、調整ねじ６１がＬＥＤモジュール１０００の表示画面の垂直方向にて移動自在な状態で、この雄ねじ６１２は筐体フレーム５と螺合されている。
【００５２】  調整ねじ６１のＬＥＤモジュール１０００と逆側には、ドライバ等の工具により調整ねじ６１を螺合するための溝６１４が設けられている。これにより、調整ねじ６１は、上述した仮固定を維持したまま、筐体フレーム５の背面よりＬＥＤモジュール１０００側へとねじ込まれることが可能となっている。
【００５３】  ＬＥＤモジュール１０００が磁石６１１によって仮固定されている状態で、背面よりドライバ等の工具を調整ねじ６１の溝６１４に嵌めて、調整ねじ６１が回転される。これにより、筐体フレーム５におけるＬＥＤモジュール１０００同士の表示画面の段差が低減されるように、ＬＥＤモジュール１０００の位置が調整される。調整後、筐体フレーム５に対する調整ねじ６１の位置が、固定ナット６２によって固定される。
【００５４】  図９に示すように、保持部品４５は、固定ねじ４０と螺合される第２ねじ部である雌ねじ４５１を含んでいる。円筒形状の調整ねじ６１は、保持部品４５の雌ねじ４５１を露出可能となっている。固定ねじ４０は、調整ねじ６１の内部に通されて、雌ねじ４５１と締結されることにより、仮固定中の保持部品４５と調整ねじ６１とが固定される。これにより、ＬＥＤモジュール１０００と筐体フレーム５とが固定される。
【００５５】  ＜実施の形態２のまとめ＞  本実施の形態２に係る映像表示装置１００によれば、実施の形態１に係る映像表示装置１００と同様に、調整ねじ６１の回転軸と、固定ねじ４０の回転軸とが同軸に配設される。このため、ＬＥＤモジュール１０００のたわみを抑制することができる。
【００５６】  また、実施の形態１と同様に調整部を有するので、映像表示装置１００の表示画面の段差を抑制することができ、映像品質を高めることができる。また、ＬＥＤモジュール１０００を固定ねじ４０で締結固定するので、マルチディスプレイシステム２００の設置後に地震等の振動によって、ＬＥＤモジュール１０００の位置ずれや落下が生じることを防ぐことができる。
【００５７】  なお本実施の形態２でも、固定ねじ４０の個数、及び、映像表示装置１００が備えるＬＥＤモジュールの枚数は、図７〜図９に示したそれらの個数及び枚数に限ったものではなく、必要に応じ変化させてもよい。
【００５８】  なお、本発明は、その発明の範囲内において、各実施の形態を自由に組み合わせたり、各実施の形態を適宜、変形、省略したりすることが可能である。
【００５９】  本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【００６０】  ５  筐体フレーム、３０〜３２，４０  固定ねじ、３５〜３７，４５〜４７  保持部品、６１  調整ねじ、６２  固定ナット、１００〜１０６  映像表示装置、２００  マルチディスプレイシステム、３０２  溝、６１１  磁石、６１２  雄ねじ、４５１，６１３  雌ねじ、１０００〜１００４  ＬＥＤモジュール。
【要約】  映像表示装置の表示画面の段差を抑制することが可能な技術を提供することを目的とする。映像表示装置は、ＬＥＤモジュール（１０００）が筐体フレーム（５）に仮固定されている状態で、ＬＥＤモジュール（１０００）の位置を調整する調整部（６１，６２）と、筐体フレーム（５）に仮固定されているＬＥＤモジュール（１０００）を筐体フレーム（５）に固定する固定部（３０，３５）とを備える。調整部（６１，６２）に含まれる調整ねじ（６１）の回転軸と、固定部（３０，３５）に含まれる固定ねじ（３０）の回転軸とは同軸に配設されている。【図１】
0006345380.tif 000002
【図２】
0006345380.tif 000003
【図３】
0006345380.tif 000004
【図４】
0006345380.tif 000005
【図５】
0006345380.tif 000006
【図６】
0006345380.tif 000007
【図７】
0006345380.tif 000008
【図８】
0006345380.tif 000009
【図９】
0006345380.tif 000010